(57)【要約】【課題】遊技者に対する公平性及びパチンコ遊技機の稼働率を担保し得るよう演出モードの終了タイミングを設定すること。【解決手段】パチンコ遊技機は、図柄変動中に所定の演出を出現させるという課題を遊技者に対し提示し、上記所定の演出が出現したとき大当り図柄を停止表示するミッションモード（課題付与演出モード）の終了タイミングを、遊技盤面１aの遊技領域３から外部に排出されるアウト球の球数に基づいて設定する。【選択図】図１５
2010142282.tif 000002
【特許請求の範囲】
【請求項１】
演出モードの終了タイミングを、発射された遊技球に基づく球数に基づいて設定することを特徴とするパチンコ遊技機。
【請求項２】
前記演出モードは、図柄変動中に所定の演出を出現させるという課題を遊技者に対し提示し、前記所定の演出が出現したとき大当り図柄を停止表示する課題付与演出モードであることを特徴とする請求項１に記載のパチンコ遊技機。
【請求項３】
前記演出モードは、現在の遊技状態が高確率で大当たりが発生する確変遊技状態であるのか低確率で大当たりが発生する通常遊技状態であるのか遊技者に対して判別不能にする潜伏演出モードであり、該潜伏演出モードが前記終了タイミングで終了したとき、現在の遊技状態を遊技者に対して報知することを特徴とする請求項１に記載のパチンコ遊技機。
【発明の詳細な説明】
【技術分野】
【０００１】
本発明は、パチンコ遊技機、詳しくは、課題付与演出モードあるいは潜伏演出モードなど演出モードを実行するパチンコ遊技機に関する。
【背景技術】
【０００２】
デジパチタイプのパチンコ遊技機として、図柄変動中に所定の演出を出現させるという課題を遊技者に対し提示し、上記所定の演出が出現したとき大当り図柄を停止表示する課題付与演出モード（通常、ミッションモードと称される。）、あるいは、現在の遊技状態が高確率で大当たりが発生する確変遊技状態であるのか低確率で大当たりが発生する通常遊技状態であるのか遊技者に対して判別不能にする潜伏演出モードなど演出モードを実行するパチンコ遊技機が知られている（例えば、特許文献１、２参照）。
【０００３】
従来、課題付与演出モードあるいは潜伏モードなど演出モードを終了させるタイミングは、演出モードの開始時点から図柄変動回数が所定回転数に達したとき、あるいは、演出モードの開始時点から所定時間が経過したときに設定されている。
【特許文献１】特開２００８−１２５６２６公報
【特許文献２】特開２００８−２４６０３８公報
【発明の開示】
【発明が解決しようとする課題】
【０００４】
しかし、演出モードの終了タイミングを図柄変動回転数に基づいて設定した場合、パチンコ遊技機の個体差により、図柄変動が多いパチンコ遊技機と図柄変動が少ないパチンコ遊技機とで、演出モードの終了タイミングに差が生じることとなり、遊技者に対する公平性を欠くことになる。
【０００５】
一方、演出モードの終了タイミングを時間に基づいて設定した場合、遊技者がパチンコ遊技機から一時的に離れたときや、遊技球の発射を一時的に停止したときなど、パチンコ遊技機を実質的に稼動していないときの経過時間もカウントされてしまうため、パチンコ遊技機の稼働率とは無関係に演出モードの終了タイミングが決定されることになる。
【０００６】
本発明は、演出モードの終了タイミングを変動回転数又は時間に基づいて設定した場合の上記のような問題点にかんがみなされたものであり、遊技者に対する公平性及びパチンコ遊技機の稼働率を担保し得るよう演出モードの終了タイミングを設定するパチンコ遊技機を提供することを目的とする。
【課題を解決するための手段】
【０００７】
本発明のパチンコ遊技機は、演出モードの終了タイミングを、発射された遊技球に基づく球数に基づいて設定することを特徴とする。ここで、発射された遊技球に基づく球数として、発射装置によって発射された遊技球の球数、又は、発射装置によって発射された遊技球のうち、遊技盤面上の遊技領域に入った遊技球の球数、例えば、遊技領域から外部に排出されアウトSW(スイッチ)によって検知されたアウト球の球数が挙げられる。
【０００８】
本発明によると、演出モードの終了タイミングを発射された遊技球に基づく球数に基づいて設定するようにしたため、図柄変動が多いパチンコ遊技機と図柄変動が少ないパチンコ遊技機との間で、演出モードの終了タイミングに差が生じなくなり、遊技者に対する公平性を担保することができる。また、遊技者がパチンコ遊技機から一時的に離れたときや、遊技球の発射を一時的に停止したときなど、パチンコ遊技機を実質的に稼動していないときには、発射された遊技球に基づく球数が増加せず演出モードの終了タイミングが遅延することとなる。このため、演出モードの終了が遊技者にとって望ましいものである場合、遊技者は演出モードを早期に終了させるべく、遊技球を発射し続けることとなり、パチンコ遊技機の稼働率が向上する。
【０００９】
ここで、前記演出モードは、図柄変動中に所定の演出を出現させるという課題を遊技者に対し提示し、前記所定の演出が出現したとき大当り図柄を停止表示する課題付与演出モードである。
【００１０】
あるいは、前記演出モードは、現在の遊技状態が高確率で大当たりが発生する確変遊技状態であるのか低確率で大当たりが発生する通常遊技状態であるのか遊技者に対して判別不能にする潜伏演出モードであり、該潜伏演出モードが前記終了タイミングで終了したとき、現在の遊技状態を遊技者に対して報知する。
【発明を実施するための最良の形態】
【００１１】
以下、本発明の実施形態を図面に基づいて説明する。
【００１２】
図１は、本発明の一実施形態に係るパチンコ遊技機の正面図、図２は、同パチンコ遊技機の電気系統のブロック図、図３は、遊技制御基板が実行するタイマ割り込み処理の内容を表すフローチャート、図４は、始動口SW処理の内容を表すフローチャート、図５は、特別図柄処理の内容を表すフローチャート、図６は、停止中処理の内容を表すフローチャート、図７は、大入賞口処理の内容を表すフローチャート、図８は、大当たり遊技処理の一部の内容を表すフローチャート、図９は、大当たり遊技処理の他の一部の内容を表すフローチャート、図１０は、大当たり遊技処理の残部の内容を表すフローチャート、図１１は、小当たり遊技処理の内容を表すフローチャート、図１２は、演出制御基板が実行する第１実施形態に係るメイン処理の内容を表すフローチャート、図１３は、コマンド受信処理の内容を表すフローチャート、図１４は、演出選択処理の内容を表すフローチャート、図１５は、ミッションモードの図柄演出パターンの選択処理の内容を表すフローチャート、図１６は、ミッション演出の表示例を示す表示画面図、図１７は、演出制御基板が実行する第２実施形態に係るメイン処理の内容を表すフローチャート、図１８は、コマンド受信処理の内容を表すフローチャート、図１９は、演出選択処理の内容を表すフローチャート、図２０は、遊技状態報知処理の内容を表すフローチャートをそれぞれ示す。
【００１３】
図１において、パチンコ遊技機は、遊技盤１を備え、遊技盤１の遊技盤面１aは、遊技者がハンドル２を操作することによって発射された遊技球が転動しながら落下してゆく遊技領域３を備える。
【００１４】
遊技領域３の中央部には、センター装飾部材４が配設され、センター装飾部材４の内側に、画像表示器５の表示画面５aが配される。表示画面５aには、公知のデモ表示、後述する第１、第２始動口６、７への遊技球の入賞に基づく装飾図柄の変動表示、課題付与演出、大当たり演出など各種演出が行われ、これらの演出表示は、後述するサブ基板５１によって制御される。ここで、課題付与演出は、図柄変動中に所定の演出を出現させるという課題を遊技者に対し提示し、上記所定の演出が出現したとき大当り図柄を、後述する第１特別図柄表示器８又は第２特別図柄表示器９に停止表示させるための演出であり、通常、ミッション演出と称される。例えば、図１６に示すように、「１の図柄でリーチをかけるのだ」のような表示をして、「１」の図柄でリーチがかかった場合に大当たりを発生させたり、あるいは、「さくらんぼが食べたいよ」のような表示をして、２つの箱のうち１つの箱を遊技者に選択させ、選択した箱から、さくらんぼが出現した場合に大当たりを発生させるような演出である。
【００１５】
表示画面５aの右下部には、携帯電話を模した可動役物１０が配置されている。携帯電話の表示画面に対応する箇所１０aには、メールを受信した旨やハートのマークなどの表示演出がなされる。
【００１６】
センター装飾部材４の下部４aは波板状のステージを構成しており、ステージ４aは、チューブ状のワープ通路部材１１によって遊技盤面１aと連通し、遊技盤面１a上を転動落下している遊技球の一部は、ワープ通路部材１１の内部を通ってステージ４a上まで誘導可能とされる。ステージ４a上まで誘導されてきた遊技球は、ステージ４a上を左右方向へ揺動する。ステージ４aの後方には、ステージ４a上の遊技球を第１始動口６の真上まで誘導するための誘導通路１２の入口１２aが形成されており、ステージ４a上の遊技球の一部は、誘導通路１２の入口１２aに入り、誘導通路１２の出口１２bから出て、第１始動口６に入賞し易くなる。なお、誘導通路１２の入口１２aに入ることができなかった遊技球は、ステージ４a上から直接遊技盤面１aへと落下し、第１始動口６への入賞は殆ど不可能とされる。
【００１７】
誘導通路１２の入口１２aの左側及び右側には、後述するサブ基板５１によって点灯制御される４つの第１特別図柄保留サブランプ１３aが配設されている。第１特別図柄保留サブランプ１３aには、第１始動口６に入賞し、後述する乱数取得が行われた遊技球であって、第１特別図柄表示器８において第１特別図柄の変動表示が開始されていない遊技球の個数つまり第１保留球数が点灯状態によって表示される。一方、第２始動口７に入賞した遊技球の第２保留球数は、例えば、画像表示器５の表示画面５aの左端下部に、ハートのマーク１４aで表示される。
【００１８】
第１始動口６の下方には第２始動口７が配設される。第２始動口７は、電チュー（電動チューリップ）と称される。電チュー７は、遊技球がゲート１５を通過したことを契機として行われる当たり抽選の結果が「当たり」であった場合に、後述するソレノイド（電チューソレノイド）３３により開放駆動され、遊技球の入賞が可能となる。第２始動口７の開放時間は、遊技状態によって長く（例えば３．５秒に）設定される場合と短く（例えば０．２秒に）設定される場合とがある。
【００１９】
第１、第２始動口６、７に遊技球が入賞すると、後述するように大当たり乱数など各種乱数が取得され、大当たり乱数が所定の大当たり乱数値に該当する場合、遊技者に有利な大当たりが発生する。
【００２０】
ここで、大当たりの種類には、例えば、１５R通常大当たり、１５R確変大当たり、２R確変大当たり（突確）、２R潜確大当たりがある。１５R通常大当たりと１５R確変大当たりは、ラウンド数が多いことから長当たりと称される。一方、２R確変大当たりと２R潜確大当たりは、ラウンド数が少ないことから短当たりと称される。
【００２１】
１５R通常大当たりが発生した場合、第２始動口７の下方に配設された大入賞口（アタッカー）１６は、１５ラウンドだけ長い開放時間の開放動作をし、多数の遊技球の入賞が可能とされる。１５R通常大当たり終了後の遊技状態は、大当たり確率が低くかつ電チューサポートが有る（電チュー７の開放時間が長く、かつ、普通図柄の当たり確率が高く、かつ、普通図柄の変動時間が短く、手持ちの遊技球が減り難い）時短遊技状態となり、この時短遊技状態は、特別図柄の変動回数（時短回数J）が所定回数例えば１００回に達した後は、大当たり確率が低くかつ電チューサポートが無い（電チュー７の開放時間が短く、かつ、普通図柄の当たり確率が低く、かつ、普通図柄の変動時間が長く、手持ちの遊技球が減り易い）通常遊技状態となる。
【００２２】
また、１５R確変大当たりが発生した場合、１５R通常大当たりが発生した場合と同様、大入賞口１６は１５ラウンドだけ長い開放時間の開放動作をし、多数の遊技球の入賞が可能とされる。１５R確変大当たり終了後の遊技状態は、特別図柄の変動回数が所定回数例えば１００００回に達するまで、大当たり確率が高くかつ電チューサポートが有る確変遊技状態となる。ここで、大当たり確率が高い状態に維持されている間に変動する特別図柄の変動回数を、高確率変動回数Xという。
【００２３】
また、２R確変大当たり（突確）が発生した場合、大入賞口１６は、２ラウンドだけ短い開放時間の開放動作をし、遊技球の入賞は殆ど不可能とされる。２R確変大当たり終了後の遊技状態は、１５R確変大当たり発生後の遊技状態と同様、確変遊技状態となる。
【００２４】
また、２R潜確大当たりが発生した場合、２R確変大当たりが発生した場合と同様、大入賞口１６は、２ラウンドだけ短い開放時間の開放動作をし、遊技球の入賞は殆ど不可能とされる。２R潜確大当たり終了後の遊技状態は、特別図柄の変動回数が所定回数例えば１００００回に達するまで、大当たり確率が高くかつ電チューサポートが無い潜確遊技状態となる。ここで、上記１５R確変大当たりが発生した場合と同様、大当たり確率が高い状態に維持されている間に変動する特別図柄の変動回数を、高確率変動回数Xという。
【００２５】
一方、大当たり乱数が所定のハズレ乱数値に該当する場合、ハズレとなるが、ハズレの一種として小当たりがある。小当たりが発生したとき、大入賞口１６が２回開閉動作をするが、この大入賞口１６の開閉動作は、２R潜確大当たりが発生したときの大入賞口１６の開閉動作と略同一であり、遊技者にとって、小当たりが発生したのか２R潜確大当たりが発生したのかを判別することは極めて困難である。
【００２６】
その他、遊技領域３には、普通入賞口１７、アウト口１８などが配設される。
【００２７】
遊技領域３の右下外部には、第１始動口６への入賞を契機に画像表示器５による装飾図柄等の変動表示と同期して変動表示し、第１特別図柄を停止表示する第１特別図柄表示器８、第２始動口７への入賞を契機に画像表示器５による装飾図柄等の変動表示と同期して変動表示し、第２特別図柄を停止表示する第２特別図柄表示器９、第１始動口６に入賞した遊技球の第１保留球数を表示する第１特別図柄保留ランプ１３、第２始動口７に入賞した遊技球の第２保留球数を表示する第２特別図柄保留ランプ１４、遊技球がゲート１５を通過したことを契機に取得された当たり乱数が当たり乱数値であるかハズレ乱数値であるかを表示する普通図柄表示器１９、現在の遊技状態を表示する遊技状態ランプ２０、２R確変大当たり発生時に点灯する２Rランプ２１、１５R通常大当たり又は１５R確変大当たり発生時に点灯する１５Rランプ２２、普通図柄保留ランプ２３が配設されている。
【００２８】
次に、パチンコ遊技機の電気系統を図２に基づいて説明する。
【００２９】
図２において、電気系統は遊技制御基板（メイン制御基板）５０を中枢部とし、遊技制御基板５０にサブ基板５１及び払出制御基板５２が接続される。サブ基板（サブ制御基板）５１は、演出制御基板５３、画像制御基板５４及びランプ制御基板５５からなり、演出制御基板５３は遊技制御基板５０に接続され、画像制御基板５４及びランプ制御基板５５はそれぞれ演出制御基板５３に接続される。遊技制御基板５０、払出制御基板５２、演出制御基板５３、画像制御基板５４及びランプ制御基板５５は、それぞれCPU、ROM、RAMを備え、演出制御基板５３は、さらに実時間を計測するRTC（リアルタイムクロック）を備える。
【００３０】
遊技制御基板５０には、第１始動口６への遊技球の入賞を検知する第１始動口SW(スイッチ）３１、第２始動口７への遊技球の入賞を検知する第２始動口SW(スイッチ）３２、第２始動口７を開放駆動する電チューソレノイド３３、ゲート１５を通過する遊技球を検知するゲートSW（スイッチ）３４、大入賞口１６に入賞した遊技球を検知する大入賞口SW（スイッチ）３５、大当たり発生時に大入賞口１６を開放駆動する大入賞口ソレノイド３６、普通入賞口１７への遊技球の入賞を検知する普通入賞口SW（スイッチ）３７、第１特別図柄保留ランプ１３、第２特別図柄保留ランプ１４、普通図柄保留ランプ２３、第１特別図柄表示器８、第２特別図柄表示器９、遊技状態ランプ２０、普通図柄表示器１９、２Rランプ２１及び１５Rランプ２２などが接続される。
【００３１】
演出制御基板５３には、遊技者によって操作可能な演出ボタン３８が接続される。また、演出制御基板５３には、アウト口１８から外部に排出された遊技球すなわちアウト球を検知するアウト球SW（スイッチ）３９が接続される。
【００３２】
画像制御基板５４には、画像表示器５およびスピーカ４０が接続される。
【００３３】
ランプ制御基板５５には、第１特別図柄保留サブランプ１３a、枠ランプ４１、盤ランプ４２及び可動役物１０が接続される。
【００３４】
払出制御基板５２には、賞球を払出す賞球払出装置の駆動源である払出駆動モータ４３が接続される。
【００３５】
次に、遊技制御基板５０が実行するタイマ割込処理を図３〜図５に基づいて説明する。
【００３６】
A.  タイマ割込処理（図３〜図１１）
図３は、タイマ割込処理のうち主要な処理のみを表しており、タイマ割込処理は所定周期例えば４msec間隔で実行される。
【００３７】
タイマ割込処理は、乱数更新処理（ステップS1）と始動口SW処理（ステップS2）と特別図柄処理（ステップS3）と大入賞口処理（ステップS4）と出力処理（ステップS5）とを主要な処理要素として構成される。
【００３８】
(1)  乱数更新処理（ステップS1）
乱数更新処理は、大当たり乱数、大当たり図柄乱数、変動パターン乱数など所定の乱数を更新することを内容とする。
【００３９】
(2)  始動口SW（スイッチ）処理（ステップS2、図４）
始動口SW処理の内容を図４に示す。
【００４０】
始動口SW処理においては、第１始動口SW３１の出力信号に基づいて第１始動口６に遊技球が入賞したか否かを判定する（ステップS11）。
【００４１】
第１始動口SW３１がオンしたと判定した場合は、第１始動口６への入賞を契機に大当たり乱数を取得することができた遊技球であって、取得した乱数に応じた特別図柄の変動表示が未だ行われていない遊技球の個数を示す第１保留球数U1が「４」未満であるか否かを判定し（ステップS12）、U1が「４」未満である場合、U1を「１」だけ加算して更新し（ステップS13）、大当たり乱数、大当たり図柄乱数、リーチ乱数を取得、格納し（ステップS14）、始動口SW処理に続く後続の処理に移行する。
【００４２】
第１保留球数U1が「４」である場合は、始動口SW処理に続く後続の処理に移行する。
【００４３】
一方、第１始動口SW３１がオンしていないと判定した場合は、第２始動口SW３２の出力信号に基づいて第２始動口７に遊技球が入賞したか否かを判定する（ステップS15）。
【００４４】
第２始動口SW３２がオンしたと判定した場合は、第２始動口７への入賞を契機に大当たり乱数を取得することができた遊技球であって、取得した乱数に応じた特別図柄の変動表示が未だ行われていない遊技球の個数を示す第２保留球数U2が「４」未満であるか否かを判定し（ステップS16）、U2が「４」未満である場合、U2を「１」だけ加算して更新し（ステップS17）、大当たり乱数、大当たり図柄乱数、リーチ乱数を取得、格納し（ステップS14）、始動口SW処理に続く後続の処理に移行する。
【００４５】
第２保留球数U2が「４」である場合は、始動口SW処理に続く後続の処理に移行する。
【００４６】
また、第２始動口SW３２がオンしていないと判定した場合は、始動口SW処理に続く後続の処理に移行する。
【００４７】
(3)  特別図柄処理（ステップS3、図５）
特別図柄処理の内容を図５に示す。
【００４８】
特別図柄処理においては、大当たり中か否かを判定する（ステップS21）。
【００４９】
大当たり中でない場合、第１特別図柄表示器８又は第２特別図柄表示器９において第１特別図柄又は第２特別図柄が変動表示中であるか否かを判定する（ステップS22）。ここで、第１特別図柄及び第２特別図柄には、大当たり図柄とハズレ図柄があり、大当たり図柄には、１５R通常図柄つまり１５R通常大当たりの発生を示す図柄と、確変図柄つまり確変大当たりの発生を示す図柄とがあり、確変図柄には、１５R確変大当たりの発生を示す１５R確変図柄と、２R確変大当たりの発生を示す２R確変図柄とがある。さらに、大当たり図柄には、２R潜確大当たりの発生を示す２R潜確図柄がある。また、ハズレ図柄には、通常ハズレ図柄と、小当たりの発生を示す小当たり図柄とがある。
【００５０】
i)  第１、第２特別図柄の変動表示中でない場合（ステップS22）、第２保留球数U2が「１」以上であるか否かを判定する（ステップS23）。
【００５１】
第２保留球数U2が「１」以上である場合、第２保留球数U2を「１」だけ減算し（ステップS24）、次に、大当たり判定処理を行う（ステップS25）。一方、第２保留球数U2が「０」である場合、第１保留球数U1が「１」以上であるか否かを判定し（ステップS26）、第１保留球数U1が「１」以上である場合、第１保留球数U1を「１」だけ減算し（ステップS27）、次に大当たり判定処理を行い（ステップS25）、第１保留球数U1が「０」である場合、特別図柄処理に続く後続の処理に移行する。
【００５２】
大当たり判定処理においては、ステップS14（図４）で格納した乱数のうちから大当たり乱数を読み出し、大当たりを発生させるか小当たりを含むハズレを発生させるかを判定し、大当たりを発生させる場合には、ステップS14（図４）で格納した乱数のうちから大当たり図柄乱数を読み出し、大当たり図柄乱数に基づいて、１５R通常図柄、１５R確変図柄、２R確変図柄又は２R潜確図柄のいずれかの図柄を、第１特別図柄表示器８又は第２特別図柄表示器９に停止表示すべき特別図柄としてセットし、一方、ハズレを発生させる場合、通常ハズレ図柄又は小当たり図柄のいずれかの図柄を、第１特別図柄表示器８又は第２特別図柄表示器９に停止表示すべき特別図柄としてセットする。
【００５３】
次に、変動パターン選択処理を行う（ステップS28）。
【００５４】
変動パターン選択処理においては、大当たり乱数及びリーチ乱数に基づき、変動パターン乱数を取得し、変動パターン乱数に基づき変動パターン（特別図柄の変動時間）をセットする。
【００５５】
次に、変動開始コマンドをセットする（ステップS29）。ここで、変動開始コマンドには、現在の遊技状態を指定する遊技状態指定コマンド、大当たり判定処理（ステップS25）においてセットされた１５R通常図柄、１５R確変図柄、２R確変図柄、２R潜確図柄、通常ハズレ図柄又は小当たり図柄を指定する図柄指定コマンド、及び、変動パターン選択処理（ステップS28）でセットされた変動パターンを指定する変動パターン指定コマンドが含まれる。
【００５６】
次に、第１特別図柄表示器８又は第２特別図柄表示器９において特別図柄の変動表示を開始させる（ステップS30）。そして、変動時間の計測を開始する（ステップS31）。
【００５７】
ii)  特別図柄の変動表示中である場合（ステップS22）、変動時間が終了したか否かを判定する（ステップS32）。変動時間が終了した場合、変動停止コマンドをセットする（ステップS33）。次に、第１特別図柄表示器８又は第２特別図柄表示器９における特別図柄の変動表示を停止させ、大当たり判定処理（ステップS25）においてセットした１５R通常図柄、１５R確変図柄、２R確変図柄、２R潜確図柄、通常ハズレ図柄又は小当たり図柄を停止表示させる（ステップS34）。そして、変動時間をリセットし（ステップS35）、停止中処理（ステップS36、図６）に移行する。
【００５８】
＜停止中処理（図６）＞
停止中処理においては、変動停止後に大当たりを発生させるか否かを判定し（ステップS41）、大当たりを発生させる場合、大当たりが長当たり即ち１５R通常大当たり又は１５R確変大当たりであるか、あるいは、大当たりが短当たり即ち２R確変大当たり又は２R潜確大当たりであるかを判定する（ステップS42）。
【００５９】
大当たりが長当たりである場合、長当たり遊技フラグをONし（ステップS43）、長当たり遊技開始コマンドをセットし（ステップS44）、この時点で時短遊技フラグ、確変遊技フラグ、潜確遊技フラグのうちのいずれかの遊技フラグがONしている場合、このONしている遊技フラグをOFFし（ステップS45）、停止中処理に続く後続の処理に移行する。
【００６０】
一方、大当たりが短当たりである場合、短当たり遊技フラグをONし（ステップS46）、短当たり遊技開始コマンドをセットし（ステップS47）、この時点で時短遊技フラグ、確変遊技フラグ、潜確遊技フラグのうちのいずれかの遊技フラグがONしている場合、このONしている遊技フラグをOFFし（ステップS45）、停止中処理に続く後続の処理に移行する。
【００６１】
上記ステップS41で、変動停止後に大当たりを発生させずハズレを発生させると判定された場合、時短遊技フラグがONしているか否かを判定し（ステップS48）、時短遊技フラグがONしている場合、後述する大入賞口処理（ステップS４）のステップS101でセットされた時短回数J（例えば、J=１００）、即ち、１５R通常大当たり終了時にセットされた時短回数Jを「１」だけ減算し（ステップS49）、時短回数Jが「０」に達したとき時短遊技フラグをOFFする（ステップS50,S51）。
【００６２】
一方、上記ステップS48で時短遊技フラグがONしていないと判定された場合、次に、確変遊技フラグ又は潜確遊技フラグがONしているか否かを判定し（ステップS52）、確変遊技フラグ又は潜確遊技フラグがONしている場合、大入賞処理（ステップS4）のステップS98でセットされた高確率変動回数X（例えば、X=１００００）、即ち、確変大当たり（１５R確変大当たり又は２R確変大当たり）又は２R潜確大当たりの終了時にセットされた高確率変動回数Xを「１」だけ減算し（ステップS53）、高確率変動回数Xが「０」に達したとき（通常は、高確率変動回数Xが「０」に達する前に次の大当たりが発生する。）、確変遊技フラグ又は潜確遊技フラグをOFFする（ステップS54,S55）。
【００６３】
上記ステップS52で確変遊技フラグ又は潜確遊技フラグがONしていないと判定された場合、又は、上記ステップS55で確変遊技フラグ又は潜確遊技フラグをOFFにした後、次に、変動停止後に小当たりを発生させるか否かを判定し（ステップS56）、小当たりを発生させる場合、小当たり遊技フラグをONし（ステップS57）、小当たり遊技開始コマンドをセットし（ステップS58）、停止中処理に続く後続の処理に移行する。
【００６４】
(4)  大入賞口処理（ステップS4、図７）
大入賞口処理においては、長当たり遊技フラグ又は短当たり遊技フラグがONしているか否かを判定し（ステップS61）、長当たり遊技フラグ又は短当たり遊技フラグがONしている場合、大当たり遊技処理を実行し（ステップS62）、大入賞口処理に続く後続の処理に移行し、一方、長当たり遊技フラグ又は短当たり遊技フラグがONしていない場合、小当たり遊技フラグがONしているか否かを判定し（ステップS63）、小当たり遊技フラグがONしている場合、小当たり遊技処理を実行し（ステップS64）、大入賞口処理に続く後続の処理に移行し、一方、小当たり遊技フラグがONしていない場合、大入賞口処理に続く後続の処理に移行する。
【００６５】
＜大当たり遊技処理（ステップS62、図８〜図１０）＞
i)  オープニング
大当たり遊技処理においては、まず、オープニング中であるか否かを判定する（ステップS71）。ここで、オープニング中とは、大当たりが発生してから大当たりの第１ラウンドが開始されるまでの期間をいう。
【００６６】
大当たり発生直後では、オープニング中となるためステップS71の判定結果は「YES」になり、次に、図示しないステップで設定されたオープニング時間（設定時間）、つまり、オープニングの継続時間が経過したか否かを判定する（ステップS72）。
【００６７】
オープニング時間経過前は、ステップS72の判定結果は「NO」となり、大当たり遊技処理に続く後続の処理に移行する。
【００６８】
その後、オープニング時間が経過すると、ステップS72の判定結果は「YES」に反転し、次に、大入賞口１６の入賞球カウント値Cを「０」にリセットし（ステップS73）、ラウンド数Rを「０」から「１」にインクリメントし（ステップS74）、ラウンド開始コマンドをセットする（ステップS75）。
【００６９】
ii)  第１ラウンド
次に、長当たり遊技フラグがONしているか否かを判定し（ステップS76）、長当たり遊技フラグがONしている場合、大入賞口ソレノイド３６への通電を開始するとともに通電時間として所定の長い時間例えば３０秒をセットし（ステップS77）、大入賞口１６の開放時間つまり大入賞口ソレノイド３６への通電時間の計測を開始し（ステップS78）、大当たり遊技処理に続く後続の処理に移行する。一方、長当たり遊技フラグがONしていない場合、つまり、短当たり遊技フラグがONしている場合、大入賞口ソレノイド３６への通電を開始するとともに通電時間として所定の短い時間例えば０，１秒をセットし（ステップS79）、大入賞口１６の開放時間の計測を開始し（ステップS78）、大当たり遊技処理に続く後続の処理に移行する。大入賞口ソレノイド３６への通電開始により大入賞口１６は開口し、大当たりの第１ラウンドが開始する。
【００７０】
第１ラウンドの継続中は、ステップS71の判定結果は「NO」となり、次に、インターバル中か否かを判定する（ステップS80）。ここで、インターバル中とは、今回のラウンド終了から次回のラウンド開始までの期間中をいい、例えば、第１ラウンド終了から第２ラウンド開始までの期間中である。
【００７１】
第１ラウンドの継続中はインターバル中ではないため、ステップS80の判定結果は「NO」となり、次に、エンディング中か否かを判定する（ステップS81）。第１ラウンドの継続中はエンディング中ではないためステップS81の判定結果は「NO」となり、次に、大入賞口SW３５がONしたか否かを判定する（ステップS82）。大入賞口SW３５がONしたと判定した場合、次に入賞球カウント値Cを「１」だけインクリメントした上で（ステップS83）、大入賞口１６の開放時間が経過したか否かを判定し（ステップS84）、一方、大入賞口SW３５がONしなかったと判定した場合、直接、大入賞口１６の開放時間が経過したか否かを判定する（ステップS84）。
【００７２】
大入賞口１６の開放時間が経過する前においては、次に入賞球カウント値Cが最大値例えば「９」に達したか否かを判定し（ステップS85）、大当たり遊技処理に続く後続の処理に移行する。
【００７３】
大入賞口１６の開放時間が経過するか、あるいは、入賞球カウント値Cが「９」に達すると、次に、大入賞口ソレノイド３６への通電を停止する（ステップS86）。ここで、大当たりが長当たりである場合、上述したように大入賞口１６の開放時間は長い時間に設定されているため、通常、入賞球カウント値Cが「９」に達したことによって大入賞口ソレノイド３６への通電が停止されるようになり、一方、大当たりが短当たりである場合、上述したように大入賞口１６の開放時間は短い時間に設定されているため、入賞球カウント値Cが「９」に達することはなく、大入賞口１６の開放時間が経過することによって大入賞口ソレノイド３６への通電が停止されるようになる。大入賞口ソレノイド３６への通電が停止されることにより大入賞口１６は閉口し、第１ラウンドが終了する。
【００７４】
iii)  インターバル
次に、ラウンド数Rが最大になったか否か、換言すると、大当たりが長当たりである場合にはラウンド数Rが「１５」に達したか否か、大当たりが短当たりである場合にはラウンド数Rが「２」に達したか否かを判定する（ステップS87）。
【００７５】
ラウンド数Rが最大に達する前においては、ステップS87の判定結果は「NO」となり、次に、インターバル時間をセットし（ステップS88）、インターバル時間の計測を開始し（ステップS89）、大当たり遊技処理に続く後続の処理に移行する。ここで、インターバル時間は、インターバル中の継続時間である。
【００７６】
次回の大当たり遊技処理においては、インターバル中であるためステップS80の判定結果は「YES」に反転し、次に、ステップS88で設定されたインターバル時間（設定時間）が経過したか否かを判定する（ステップS72）。
【００７７】
インターバル時間が経過する前においては、ステップS72の判定結果は「NO」となり、大当たり遊技処理に続く後続の処理に移行する。
【００７８】
iv)  第２ラウンド
その後、インターバル時間が経過すると、ステップS72の判定結果は「YES」に反転し、次に、入賞球カウント値Cを「０」にリセットし（ステップS73）、ラウンド数Rを「１」から「２」にインクリメントし（ステップS74）、ラウンド開始コマンドをセットし（ステップS75）、大入賞口ソレノイド３６への通電を開始する（ステップS77又はS79）。これにより第２ラウンドが開始され、第２ラウンドにおいて、上述した第１ラウンドにおける処理と同様な処理が実行される。
【００７９】
v)  短当たりの場合
大当たりが短当たりである場合、第２ラウンドが終了すると、ラウンド数Rは最大つまり「２」であるため、ステップS87の判定結果は「YES」に反転し、入賞球カウント値C及びラウンド数Rはリセットされ（ステップS90）、エンディング時間がセットされ（ステップS91）、エンディング時間の計測が開始される（ステップS92）。
【００８０】
エンディング中はステップS81の判定結果は「YES」となり、エンディング時間（設定時間）が経過したか否かを判定し（ステップS93）、ステップS93の判定結果は「NO」となり、大当たり遊技処理に続く後続の処理に移行する。
【００８１】
エンディング時間が経過すると、ステップS93の判定結果は「YES」に反転し、短当たりフラグをOFFし（ステップS94）、次に、今回終了する大当たりが通常大当たりか否かを判定する（ステップS95）。短当たりは、２R確変大当たり又は２R潜確大当たりのいずれかであり、通常大当たりではないため、ステップS95の判定結果は「NO」となり、次に、確変大当たりか否かを判定する（ステップS96）。
【００８２】
２R確変大当たりの場合、確変大当たりであるため、ステップS96の判定結果は「YES」となり、確変遊技フラグをONし（ステップS97）、高確率変動回数Xを所定値例えば「１００００」に設定し（ステップS98）、大当たり遊技処理を終了する。
【００８３】
一方、２R潜確大当たりの場合、確変大当たりでないため、ステップS96の判定結果は「NO」となり、潜確遊技フラグをONし（ステップS99）、高確率変動回数Xを所定値例えば「１００００」に設定し（ステップS98）、大当たり遊技処理を終了する。
【００８４】
vi)  長当たりの場合
一方、大当たりが長当たりである場合、第２ラウンドが終了してもラウンド数Rは最大つまり「１５」とならないため、ステップS87の判定結果は「NO」となり、インターバル時間をセットし（ステップS88）、インターバル時間の計測を開始し（ステップS89）、大当たり遊技処理に続く後続の処理に移行する。
【００８５】
次回の大当たり遊技処理においては、インターバル中であるためステップS80の判定結果は「YES」に反転し、インターバル時間（設定時間）が経過したか否かを判定する（ステップS72）。
【００８６】
インターバル時間が経過する前においては、ステップS72の判定結果は「NO」となり、大当たり遊技処理に続く後続の処理に移行する。
【００８７】
その後、インターバル時間が経過すると、ステップS72の判定結果は「YES」に反転し、次に、入賞球カウント値Cを「０」にリセットし（ステップS73）、ラウンド数Rを「２」から「３」にインクリメントし（ステップS74）、ラウンド開始コマンドをセットし（ステップS75）、大入賞口ソレノイド３６への通電を開始する（ステップS77又はS79）。これにより第３ラウンドが開始され、第３ラウンドにおいて、上述した第１、第２ラウンドにおける処理と同様な処理が実行される。
【００８８】
第３ラウンドの終了後は、第４ラウンド、第５ラウンド、…、第１４ラウンド、第１５ラウンドと続き、第１５ラウンドが終了すると、ラウンド数Rが最大つまり「１５」となるためステップS87の判定結果は「YES」に反転し、入賞球カウント値C及びラウンド数Rをリセットし（ステップS90）、エンディング時間をセットし（ステップS91）、エンディング時間の計測を開始する（ステップS92）。
【００８９】
エンディング中はステップS81の判定結果は「YES」となり、エンディング時間（設定時間）が経過したか否かを判定し（ステップS93）、ステップS93の判定結果は「NO」となり、大当たり遊技処理に続く後続の処理に移行する。
【００９０】
エンディング時間が経過すると、ステップS93の判定結果は「YES」に反転し、長当たりフラグをOFFし（ステップS94）、次に、今回終了する長当たりが通常大当たりか否かを判定する（ステップS95）。
【００９１】
今回終了する長当たりが通常大当たりつまり１５R通常大当たりである場合、時短遊技フラグをONし（ステップS100）、時短回数Jを所定値例えば「１００」にセットし（ステップS101）、大当たり遊技処理を終了する。
【００９２】
一方、今回終了する長当たりが通常大当たりでない場合、ステップS95の判定結果は「NO」となり、次に、今回終了する長当たりが確変大当たりつまり１５R確変大当たりか否かを判定する（ステップS96）。
【００９３】
今回終了する長当たりは１５R確変大当たりであるため、ステップS96の判定結果は「YES」となり、確変遊技フラグをONし（ステップS97）、高確率変動回数Xに所定値例えば「１００００」をセットし（ステップS98）、大当たり遊技処理を終了する。
【００９４】
＜小当たり遊技処理（ステップS64、図１１）＞
i)  オープニング
小当たり遊技処理においては、まず、オープニング中であるか否かを判定する（ステップS111）。ここで、オープニング中とは、小当たりが発生してから大入賞口１６が開放動作を開始するまでの期間中をいう。
【００９５】
小当たり発生直後では、オープニング中となるためステップS111の判定結果は「YES」になり、次に、図示しないステップで設定されたオープニング時間つまりオープニングの継続時間が経過したか否かを判定する（ステップS112）。
【００９６】
オープニング時間経過前は、ステップS112の判定結果は「NO」となり、小当たり遊技処理に続く後続の処理に移行する。
【００９７】
その後、オープニング時間が経過すると、ステップS112の判定結果は「YES」に反転し、次に、大入賞口ソレノイド１６の制御パターンをセットする（ステップS113）。大入賞口ソレノイド１６の制御パターンは、大入賞口ソレノイド１６に対し第１回目の通電を開始し、上述したような、短当たり遊技フラグがONしている場合の大入賞口ソレノイド１６への通電時間と同じ通電時間が経過すると、第１回目の通電を停止し、短当たり遊技フラグがONしている場合のインターバル時間と同じインターバル時間が経過すると、第２回目の通電を開始し、上記通電時間と同じ通電時間が経過すると、第２回目の通電を停止することを内容とする制御を行うためのプログラムである。
【００９８】
次に、大入賞口１６の作動時間の計測を開始する（ステップS114）。大入賞口１６の作動時間は、第１回目の通電開始から第２回目の通電終了までの時間に対応する。
【００９９】
次回の小当たり遊技処理においては、オープニング中ではないためステップS111の判定結果は「NO」となり、次に、エンディング中か否かを判定する（ステップS115）。大入賞口１６の制御中はエンディング中ではないためステップS115の判定結果は「NO」となり、次に、大入賞口SW３５がONしたか否かを判定する（ステップS116）。大入賞口SW３５がONしたと判定した場合、次に入賞球カウント値Cを「１」だけインクリメントした上で（ステップS117）、大入賞口１６の作動時間が経過したか否かを判定し（ステップS118）、一方、大入賞口SW３５がONしなかったと判定した場合、直接、大入賞口１６の作動時間が経過したか否かを判定する（ステップS118）。
【０１００】
大入賞口１６の作動時間が経過する前においては、次に入賞球カウント値Cが最大値例えば「９」に達したか否かを判定し（ステップS119）、小当たり遊技処理に続く後続の処理に移行する。
【０１０１】
大入賞口１６の作動時間が経過するか、あるいは、入賞球カウント値Cが「９」に達すると、次に、大入賞口ソレノイド３６に対する制御を終了する（ステップS120）。小当たりの場合、上述したように大入賞口１６の開放時間は短当たりと同様短い時間に設定されており、入賞球カウント値Cが「９」に達することはないため、大入賞口１６の作動時間が経過することによって大入賞口ソレノイド３６に対する制御が終了するようになる。
【０１０２】
次に、入賞球カウント値Cをリセットし（ステップS121）、エンディング時間をセットし（ステップS122）、エンディング時間の計測を開始する（ステップS123）。エンディング中はステップS115の判定結果は「YES」となり、エンディング時間が経過したか否かを判定し（ステップS124）、エンディング時間経過前においては、ステップS124の判定結果は「NO」となり、小当たり遊技処理に続く後続の処理に移行する。エンディング時間が経過すると、ステップS124の判定結果は「YES」に反転し、小当たり遊技フラグをOFFし（ステップS125）、小当たり遊技処理を終了する。
【０１０３】
(5)  出力処理（ステップS5）
出力処理においては、ステップS29で変動開始コマンドがセットされたとき、変動開始コマンドを演出制御基板５３に送信し、また、ステップS33で変動停止コマンドがセットされたとき、変動停止コマンドを演出制御基板５３に送信する。その他、演出制御基板５３に対し、必要なコマンドを出力する。
【０１０４】
次に、演出制御基板５３が実行する第１実施形態に係るメイン処理を図１２〜図１６に基づいて説明する。
【０１０５】
B.  第１実施形態に係るメイン処理（図１２〜図１６）
第１実施形態に係るメイン処理においては、図１２に示すように、遊技制御基板５０から送信されてくる変動開始コマンド又は変動停止コマンドを受信するコマンド受信処理（ステップS131）、画像制御基板５４及びランプ制御基板５５に対してコマンドを送信するコマンド送信処理（ステップS132）、及び、ミッションモード時にアウト球の個数をカウントするアウト球計数処理（ステップS133,S134,S135）を実行する。以下、コマンド受信処理、コマンド送信処理及びアウト球計数処理を順に説明する。
【０１０６】
(1)  コマンド受信処理（ステップS131、図１３）
コマンド受信処理においては、変動開始コマンドを受信したか否かを判定し（ステップS141）、変動開始コマンドを受信した場合、演出選択処理を実行し（ステップS142）、次にステップS143に移行し、一方、変動開始コマンドを受信しない場合、直接ステップS143に移行する。
【０１０７】
＜演出選択処理（図１４）＞
演出選択処理は、図１４に示すように、まず、変動開始コマンドを解析する（ステップS151）。ここで、変動開始コマンドには、上述したように、遊技状態指定コマンド、図柄指定コマンド、及び変動パターン指定コマンドが含まれており、これらのコマンドから、現在の遊技状態(時短遊技状態、通常遊技状態、確変遊技状態、潜確遊技状態又は大当たり遊技状態)、大当たり図柄又はハズレ図柄の種類(１５R通常図柄、１５R確変図柄、２R確変図柄、２R潜確図柄、通常ハズレ図柄又は小当たり図柄)、及び、変動パターン（変動時間）が認識される。
【０１０８】
次に、ミッション演出を行うミッションモードへ変更するか否かを判定する（ステップS152）。この判定は、所定の乱数を取得し、この乱数がミッションモードへの変更を指示する乱数であるか否かを判定することによって行われる。ミッション演出とは、上述したように、図柄変動中に所定の演出を出現させるという課題を遊技者に対し提示し、所定の演出が出現したとき大当り図柄を第１特別図柄表示器８又は第２特別図柄表示器９に停止表示させるための演出である。
【０１０９】
ステップS152の判定結果が「YES」である場合、ミッションモードフラグMMFをONし（ステップS153）、ステップS154に移行し、一方、ステップS152の判定結果が「NO」である場合、直接ステップS154に移行する。
【０１１０】
ステップS154においては、ミッションモードフラグMMFがONしているか否かを判定する。
【０１１１】
ミッションモードフラグMMFがONしている場合、ミッションモードの図柄演出パターンを選択する処理を実行し（ステップS155）、一方、ミッションモードフラグMMFがOFFしている場合、ミッションモード以外のモードからなる通常モードの図柄演出パターンを選択する処理を実行する（ステップS156）。
【０１１２】
ミッションモードの図柄演出パターンの選択処理は、図１５に示すように、まず、当該選択処理を実行するのが第１回目であるか否かを判定する（ステップS161）。
【０１１３】
上記ステップS161の判定結果が「YES」である場合、ミッション演出乱数を取得する（ステップS162）。ここで、ミッション演出乱数は、予め用意された複数種類のミッション演出の各々に対応して設定されている乱数である。次に、取得したミッション演出乱数に基づきミッション演出の内容を設定し（ステップS63）、ステップS164に移行する。ミッション演出の内容としては、例えば図１６に示すように、「１の図柄でリーチをかけるのだ」のような表示をして、「１」の図柄でリーチがかかった場合に大当たりを発生させる演出、あるいは、「さくらんぼが食べたいよ」のような表示をして、２つの箱のうち１つの箱を遊技者に選択させ、選択した箱から、さくらんぼが出現した場合に大当たりを発生させる演出がある。
【０１１４】
一方、上記ステップS161の判定結果が「NO」である場合、つまり、当該選択処理の実行が第２回目以降である場合、直接ステップS164に移行する。
【０１１５】
ステップS164においては、メイン処理のステップS135でカウントされているアウト球数Nが所定値以上であるか否かを判定する。
【０１１６】
アウト球数Nが所定値未満である間は、ステップS164の判定結果は「NO」となり、次に、変動開始コマンド解析（ステップS151）で解析された図柄指定コマンドに基づいて大当たりを発生させるべきか否かを判定する（ステップS165）。
【０１１７】
大当たりを発生させるべき場合には、次に、ミッション内容に対応する停止図柄を設定する（ステップS166）。例えば、ミッション演出の内容が上述したような「１の図柄でリーチをかけるのだ」のような表示である場合、「１」の図柄によるリーチ、例えば、左列、中列、右列の３列の図柄が揃ったとき大当たりを発生させる場合に、左列及び右列の各停止図柄を「１」に設定する。また、ミッション演出の内容が上述したような「さくらんぼが食べたいよ」のような表示である場合、２つの箱のうちの１つの箱から、さくらんぼを出現させるよう設定する。次に、ステップS166で設定された停止図柄を停止させてから大当たりを発生させるまでの間の演出に係る大当たりパターンを設定する（ステップS167）。次に、ミッションモードフラグMMFをOFFし（ステップS168）、アウト球数Nをリセットする（ステップS169）。
【０１１８】
一方、ハズレを発生させるべき場合は、次に、ミッション内容に対応しない停止図柄を設定する（ステップS170）。例えば、ミッション演出の内容が上述したような「１の図柄でリーチをかけるのだ」のような表示である場合、「１」の図柄によるリーチ、例えば、左列、中列、右列の３列の図柄が揃ったとき大当たりを発生させる場合に、左列又は右列の停止図柄を「１」以外の図柄に設定する。また、ミッション演出の内容が上述したような「さくらんぼが食べたいよ」のような表示である場合、２つの箱のうちの１つの箱から、さくらんぼ以外の物を出現させるよう設定する。次に、ステップS76で設定された停止図柄を停止させてからハズレを発生させるまでの間の演出に係るハズレパターンを設定する（ステップS171）。
【０１１９】
アウト球数Nが所定値に達すると、ステップS164の判定結果は「YES」に反転し、ミッションモードフラグMMFをOFFし（ステップS168）、アウト球数Nをリセットする（ステップS169）。
【０１２０】
上述したようなミッションモードの図柄演出パターンの選択処理（ステップS155）又は通常モードの図柄演出パターンの選択処理（ステップS156）を終了した後、ステップS155で選択されたミッションモードの図柄演出パターン又はステップS156で選択された通常モードの図柄演出パターンなどに係る図柄演出コマンドをセットする（ステップS157）。
【０１２１】
以上説明したように、演出選択処理（ステップS142、図１４）においては、ミッションモードへの変更が指示された場合、ミッションモードの図柄演出パターンが選択され、一方、ミッションモードへの変更が指示されない場合、通常モードの図柄演出パターンが選択される。
【０１２２】
演出選択処理（ステップS142、図１４）を実行した後は、遊技制御基板５０から変動停止コマンドを受信したか否かを判定する（ステップS143）。
【０１２３】
変動停止コマンドを受信した場合、画像制御基板５４及びランプ制御基板５５に対して送信すべき終了コマンドをセットする（ステップS144）。
【０１２４】
(2)  コマンド送信処理（ステップS132）
コマンド送信処理においては、ステップS157でセットされた図柄演出コマンドを画像制御基板５４に送信するなど、コマンドを画像制御基板５４及びランプ制御基板５５に送信する。
【０１２５】
(3)  アウト球計数処理（ステップS133,S134,S135）
ミッションモードフラグMMFがONしている場合、アウト球SW３９がONするごとにアウト球数Nを「１」だけインクリメントしてゆく。アウト球数Nは、上述したように、ステップS164の判定に用いられる。
【０１２６】
以上説明したように、第１実施形態のパチンコ遊技機は、図柄変動中に所定の演出を出現させるという課題を遊技者に対し提示し、上記所定の演出が出現したとき大当り図柄を停止表示するミッションモード（課題付与演出モード）の終了タイミングを、遊技盤面１aの遊技領域３から外部に排出されるアウト球の球数に基づいて設定するようにした。
【０１２７】
第１実施形態によると、演出モードの終了タイミングをアウト球の球数に基づいて設定するようにしたため、図柄変動が多いパチンコ遊技機と図柄変動が少ないパチンコ遊技機との間で、演出モードの終了タイミングに差が生じなくなり、遊技者に対する公平性を担保することができる。また、遊技者がパチンコ遊技機から一時的に離れたときや、遊技球の発射を一時的に停止したときなど、パチンコ遊技機を実質的に稼動していないときには、アウト球数が増加せず演出モードの終了タイミングが遅延することとなる。このため、演出モードの終了が遊技者にとって望ましいものである場合、遊技者は演出モードを早期に終了させるべく、遊技球を発射し続けることとなり、パチンコ遊技機の稼働率が向上する。
【０１２８】
次に、演出制御基板５３が実行する第２実施形態に係るメイン処理を図１７〜図２０に基づいて説明する。
【０１２９】
C.  第２実施形態に係るメイン処理（図１７〜図２０）
第２実施形態に係るメイン処理においては、図１７に示すように、遊技制御基板５０から送信されてくる変動開始コマンド又は変動停止コマンドを受信するコマンド受信処理（ステップS181）、画像制御基板５４及びランプ制御基板５５に対してコマンドを送信するコマンド送信処理（ステップS182）、及び、アウト球カウントフラグがONしているときにアウト球の個数をカウントするアウト球計数処理（ステップS183,S184,S185）を実行する。以下、コマンド受信処理、コマンド送信処理及びアウト球計数処理を順に説明する。
【０１３０】
(1)  コマンド受信処理（ステップS181、図１８）
コマンド受信処理においては、変動開始コマンドを受信したか否かを判定し（ステップS191）、変動開始コマンドを受信した場合、演出選択処理を実行し（ステップS192）、次にステップS193に移行し、一方、変動開始コマンドを受信しない場合、直接ステップS193に移行する。
【０１３１】
＜演出選択処理（図１９）＞
演出選択処理は、図１９に示すように、まず、開始コマンド（変動開始コマンド）を解析する（ステップS201）。ここで、変動開始コマンドは、上述したように、遊技状態指定コマンド、図柄指定コマンド、及び変動パターン指定コマンドからなり、これらのコマンドから、現在の遊技状態(時短遊技状態、通常遊技状態、確変遊技状態、潜確遊技状態又は大当たり遊技状態)、大当たり図柄又はハズレ図柄の種類(１５R通常図柄、１５R確変図柄、２R確変図柄、２R潜確図柄、通常ハズレ図柄又は小当たり図柄)、及び、変動パターン（変動時間）が認識される。
【０１３２】
次に、モードフラグを参照する（ステップS202）。モードフラグには、通常遊技状態のときの通常モードを示すモードフラグ、通常遊技状態から確変遊技状態、時短遊技状態又は潜確遊技状態へ発展した場合のモードであって、確変遊技状態、時短遊技状態及び潜確遊技状態のそれぞれに対応して予め設定された各種モードを示すモードフラグがあり、モードによっては、大当たり発生に対する信頼度もしくは期待度が設定されたモードもある。
【０１３３】
次に、参照したモードフラグを基に図柄演出パターンを選択する（ステップS203）。図柄演出パターンとして、連続予告演出、擬似連続予告演出、昇格演出、ラウンド中昇格演出、チャンスボタン（選択ボタン）演出などがある。
【０１３４】
次に、画像制御基板５４に送信すべきコマンドとして、上記ステップS203で選択した図柄演出パターンに対応する図柄演出コマンドをセットする（ステップS204）。
【０１３５】
次に、遊技状態報知処理を行う（ステップS205）。
【０１３６】
＜遊技状態報知処理（ステップS205、図２０）＞
遊技状態報知処理においては、開始コマンドに基づき確変大当たり（１５R確変大当たり又は２R確変大当たり）又は通常大当たり（１５R通常大当たり）が発生したか否かを判定する（ステップS211）。
【０１３７】
確変大当たり又は通常大当たりが発生していない場合、アウト球カウントフラグがONしているか否かを判定する（ステップS212）。アウト球カウントフラグは、初期設定時にOFFに設定されており、後述するように、ステップS213でカウント条件フラグがONしていると判定された場合にONされるフラグである。
【０１３８】
アウト球カウントフラグがOFFしている場合、カウント条件フラグがONしているか否かを判定する（ステップS213）。カウント条件フラグは、初期設定時にOFFに設定されており、後述するように、ステップS214で潜確大当たり又は小当たりが発生したと判定された場合にONされるフラグである。
【０１３９】
カウント条件フラグがOFFしている場合、開始コマンドに基づき潜確大当たり（２R潜確大当たり）又は小当たりが発生したか否かを判定する（ステップS214）。ここでの小当たりは、通常遊技状態における小当たりのことをいい、確変遊技状態における小当たり、潜確遊技状態における小当たり、及び時短遊技状態における小当たりは除く。
【０１４０】
潜確大当たり又は小当たりが発生していない場合、遊技状態報知処理に続く後続の処理に移行する。
【０１４１】
一方、潜確大当たり又は小当たりが発生した場合、カウント条件フラグをONし（ステップS215）、遊技状態報知処理に続く後続の処理に移行する。
【０１４２】
次回の遊技状態報知処理においては、ステップS213の判定結果は「YES」に反転し、アウト球カウントフラグをONし（ステップS216）、カウント条件フラグをOFFし（ステップS217）、遊技状態報知処理に続く後続の処理に移行する。
【０１４３】
アウト球カウントフラグがONされると、上述したように、メイン処理のステップS183の判定結果が「YES」に反転し、アウト球SW３９がオンするごとにアウト球数Nが「１」だけインクリメントされてゆく。
【０１４４】
次回の遊技状態報知処理においては、ステップS212の判定結果は「YES」に反転し、アウト球数Nが所定値以上であるか否かを判定する（ステップS217）。
【０１４５】
アウト球数Nが所定値に達していない間は、各遊技状態報知処理において、ステップS218の判定結果は「NO」となり、遊技状態報知処理に続く後続の処理に移行する。
【０１４６】
アウト球数Nが所定値に達した場合、ステップS218の判定結果は「YES」に反転し、開始コマンドに基づき、現在の遊技状態が潜確遊技状態であるか通常遊技状態であるかを判定する（ステップS219）。
【０１４７】
現在の遊技状態が潜確遊技状態である場合、画像制御基板５４に送信すべきコマンドとして潜確遊技状態報知コマンドをセットし（ステップS220）、一方、現在の遊技状態が通常遊技状態である場合、画像制御基板５４に送信すべきコマンドとして通常遊技状態報知コマンドをセットし（ステップS221）、アウト球カウントフラグをOFFし（ステップS222）、アウト球数Nをリセットし（ステップS223）、遊技状態報知処理に続く後続の処理に移行する。
【０１４８】
一方、アウト球数Nが所定値に達していない間において、確変大当たり又は通常大当たりが発生した場合には、ステップS211の判定結果は「YES」に反転し、アウト球数カウントフラグがONしているか否かを判定する（ステップS224）。このステップS224の判定結果は「YES」であり、アウト球カウントフラグをOFFし（ステップS225）、アウト球数Nをリセットし（ステップS226）、遊技状態報知処理に続く後続の処理に移行する。したがって、次回の遊技状態報知処理においては、ステップS212の判定結果は「NO」に反転し、ステップS213及びステップS214を経て、遊技状態報知処理に続く後続の処理に移行するようになる。
【０１４９】
以上説明したように、遊技状態報知処理（ステップS205、図１９）においては、潜確大当たり又は通常遊技状態における小当たりが発生すると、アウト球カウントフラグをONする。アウト球カウントフラグがONすると、メイン処理においてアウト球数Nのカウントが開始される。その後、アウト球数Nが所定値に達すると、そのときの遊技状態が潜確大当たり発生後の遊技状態である場合には確変遊技状態報知コマンドをセットし、一方、そのときの遊技状態が通常遊技状態における小当たり発生後の遊技状態である場合には通常遊技状態報知コマンドをセットする。また、アウト球数Nが所定値に達する前に確変大当たり又は通常大当たりが発生した場合には、アウト球カウントフラグをOFFし、アウト球数Nのカウントを終了する。
【０１５０】
(2)  コマンド送信処理（ステップS181）
コマンド送信処理においては、ステップS220でセットされた潜確遊技状態報知コマンド、ステップS221でセットされた通常遊技状態報知コマンドを画像制御基板５４に送信するなど、コマンドを画像制御基板５４及びランプ制御基板５５に送信する。潜確遊技状態報知コマンドを受信した画像制御基板５４は、現在の遊技状態が潜確遊技状態である旨の表示を画像表示器５の表示画面５a上に行い、また、通常遊技状態報知コマンドを受信した画像制御基板５４は、現在の遊技状態が通常遊技状態である旨の表示を画像表示器５の表示画面５a上に行う。
【０１５１】
(3)  アウト球計数処理（ステップS183,S184,S185）
アウト球カウントフラグがONしている場合、アウト球SW３９がオンするごとにアウト球数Nを「１」だけインクリメントしてゆく。アウト球数Nは、上述したように、ステップS218の判定に用いられる。
【０１５２】
以上説明したように、第２実施形態のパチンコ遊技機は、現在の遊技状態が高確率で大当たりが発生する確変遊技状態であるのか低確率で大当たりが発生する通常遊技状態であるのか遊技者に対して判別不能にする潜伏演出モードの終了タイミングを、遊技盤面の遊技領域から外部に排出されるアウト球の球数に基づいて設定するようにする。
【０１５３】
第２実施形態によると、潜伏演出モードの終了タイミングをアウト球の球数に基づいて設定するようにしたため、図柄変動が多いパチンコ遊技機と図柄変動が少ないパチンコ遊技機との間で、潜伏演出モードの終了タイミングに差が生じなくなり、遊技者に対する公平性を担保することができる。また、遊技者がパチンコ遊技機から一時的に離れたときや、遊技球の発射を一時的に停止したときなど、パチンコ遊技機を実質的に稼動していないときには、アウト球数が増加せず潜伏演出モードの終了タイミングが遅延することとなる。遊技者は、潜伏演出モードを早期に終了させ、現在の遊技状態が確変遊技状態なのか通常遊技状態なのかを知りたいと思うのが通常であるので、遊技者は潜伏演出モードを早期に終了させるべく、遊技球を発射し続けることとなり、パチンコ遊技機の稼働率が向上する。
【０１５４】
なお、上述した実施形態では、課題付与演出モード（ミッションモード）の終了タイミングをアウト球の球数に基づいて設定しているが、本発明は、これに限定されるものではなく、発射装置によって発射された遊技球の球数など、発射装置により発射された遊技球に基づく球数に基づいて終了タイミングを設定するものであれば他の手段を用いてもよい。
【０１５５】
また、上述した実施形態では課題付与演出モード（ミッションモード）及び潜伏演出モードの終了タイミングをアウト球の球数に基づいて設定しているが、本発明は、これに限定されるものではなく、他の演出モードの終了タイミングをアウト球の球数に基づいて設定することは自由である。
【図面の簡単な説明】
【０１５６】
【図１】本発明の一実施形態に係るパチンコ遊技機の正面図である。
【図２】同パチンコ遊技機の電気系統のブロック図である。
【図３】遊技制御基板が実行する第１実施形態に係るタイマ割り込み処理の内容を表すフローチャートである。
【図４】始動口SW処理の内容を表すフローチャートである。
【図５】特別図柄処理の内容を表すフローチャートである。
【図６】停止中処理の内容を表すフローチャートである。
【図７】大入賞口処理の内容を表すフローチャートである。
【図８】大当たり遊技処理の一部の内容を表すフローチャートである。
【図９】大当たり遊技処理の他の一部の内容を表すフローチャートである。
【図１０】大当たり遊技処理の残部の内容を表すフローチャートである。
【図１１】小当たり遊技処理の内容を表すフローチャートである。
【図１２】演出制御基板が実行する第１実施形態に係るメイン処理の内容を表すフローチャートである。
【図１３】コマンド受信処理の内容を表すフローチャートである。
【図１４】演出選択処理の内容を表すフローチャートである。
【図１５】ミッションモードの図柄演出パターンの選択処理の内容を表すフローチャートである。
【図１６】ミッション演出の表示例を示す表示画面図である。
【図１７】演出制御基板が実行する第２実施形態に係るメイン処理の内容を表すフローチャートである。
【図１８】コマンド受信処理の内容を表すフローチャートである。
【図１９】演出選択処理の内容を表すフローチャートである。
【図２０】遊技状態報知処理の内容を表すフローチャートである。
【符号の説明】
【０１５７】
１a    遊技盤面
３    遊技領域
５    画像表示器
５a    表示画面
１８    アウト口
３９    アウト球SW
５０    遊技制御基板
５３    演出制御基板
５４    画像制御基板
【図１】
2010142282.tif 000003
【図２】
2010142282.tif 000004
【図３】
2010142282.tif 000005
【図４】
2010142282.tif 000006
【図５】
2010142282.tif 000007
【図６】
2010142282.tif 000008
【図７】
2010142282.tif 000009
【図８】
2010142282.tif 000010
【図９】
2010142282.tif 000011
【図１０】
2010142282.tif 000012
【図１１】
2010142282.tif 000013
【図１２】
2010142282.tif 000014
【図１３】
2010142282.tif 000015
【図１４】
2010142282.tif 000016
【図１５】
2010142282.tif 000017
【図１６】
2010142282.tif 000018
【図１７】
2010142282.tif 000019
【図１８】
2010142282.tif 000020
【図１９】
2010142282.tif 000021
【図２０】
2010142282.tif 000022